(57)【要約】【課題】  入力された画像データに対して何時、どのような処理が行われたかの履歴把握を容易にする。【解決手段】  画像処理部９は入力された画像データを画像処理する。記憶部７は画像処理に関するデータ名、画像データの取得、保存、印刷又は送受信の別等の処理内容およびユーザ名からなる履歴情報テーブルを保存する。制御部１は、履歴情報テーブルを作成してその記憶部７に保存制御し、画像データおよび画像処理毎にその履歴情報テーブルを更新制御し、ユーザからの読み出し要求に基づきその履歴情報テーブルを出力制御する。【選択図】  図１
2008160772.tif 000002
【特許請求の範囲】
【請求項１】
入力された画像データを画像処理する画像処理部と、
前記画像処理に関して、少なくともデータ名、処理内容およびユーザ名からなる履歴情報テーブルを保存する記憶部と、
前記履歴情報テーブルを作成して前記記憶部に保存制御し、ユーザからの読み出し要求に基づき前記履歴情報テーブルを出力制御する制御部と、
を備えたことを特徴とする画像処理装置。
【請求項２】
前記制御部は、前記画像データの入力又は前記画像処理毎に前記履歴情報テーブルを更新制御するものである請求項１記載の画像処理装置。
【請求項３】
前記制御部は、前記履歴情報テーブルに関し前記ユーザのユーザ権限に応じて出力内容を変更制御するものである請求項１又は２記載の画像処理装置。
【請求項４】
前記処理内容は、前記画像処理に関する前記画像データの取得、保存、印刷又は送受信の別である請求項１〜３いずれか１記載の画像処理装置。
【請求項５】
前記制御部は、前記履歴情報テーブル中の個々の処理が終了したとき、前記履歴情報テーブルから当該処理に係る履歴を削除制御するものである請求項１〜４いずれか１記載の画像処理装置。
【請求項６】
入力された画像データを画像処理する制御用コンピュータに、
前記画像データを入力する入力処理と、
入力された前記画像データを画像処理する画像処理と、
前記画像処理に関する少なくともデータ名、処理内容およびユーザ名からなる履歴情報テーブルを作成する履歴作成処理と、
前記ユーザからの読み出し要求があったとき前記履歴情報テーブルを出力する履歴出力処理と、
を実行させることを特徴とする画像処理プログラム。
【請求項７】
前記履歴作成処理は、前記画像データの入力又は画像処理毎に前記履歴情報テーブルの更新処理を実行させる請求項６記載の画像処理プログラム。
【請求項８】
前記履歴出力処理は、前記履歴情報テーブルに関し前記ユーザのユーザ権限に応じて出力内容を変更して出力する請求項６又は７記載の画像処理プログラム。
【請求項９】
前記処理内容は、前記画像処理に関する前記画像データの取得、保存、印刷又は送受信の別である請求項６〜８いずれか１記載の画像処理プログラム。
【請求項１０】
前記履歴情報テーブル中の個々の処理が終了したとき、前記履歴情報テーブルから当該処理に係る履歴の削除処理を実行する請求項６〜９いずれか１記載の画像処理プログラム。
【発明の詳細な説明】
【技術分野】
【０００１】
本発明は画像処理装置および画像処理プログラムに係り、ネットワークに接続された複写機、ファクシミリ機又はこの機能を有する複合機（ＭＦＰ：Multi Function Peripheral）等に用いて好適する画像処理装置および画像処理プログラムに関する。
【背景技術】
【０００２】
複写機、ファクシミリ装置等においては、一般に、複写履歴や送受信履歴を記録、蓄積し、これらをレポートとして出力させて管理等に使用している。
【０００３】
そして、これらの装置においては、蓄積した履歴データを管理可能にするために、種々の構成が提案されており、例えば特許第３０１８７４１号公報（特許文献１）がある。
【０００４】
この特許文献１は、画像入力部から読込んだ画像データをディジタル信号に変換して印刷手段で印刷するディジタル複写装置であり、操作指示部から入力された複写条件および時刻情報等の複写情報レコードと、この複写情報レコードに関連づけた画像データの圧縮データとをデータ記憶部に記憶し、画像の検索再出力を操作ボタンから指示し、この操作ボタンが操作されたときそのデータ記憶部から読み出されたデータに基づいて作成された再出力可能一覧を表示部で表示し、この表示部上の選択手段で所望の画像データを選択し、選択された画像データを画像出力部で印刷出力する構成を有し、簡単な操作で、検索出力可能なデータを再表示や再印刷可能にしたものである。
【０００５】
さらに、特開平６−３５０７６３号公報（特許文献２）も提案されている。
【０００６】
この特許文献２は、送信要求したパーソナルコンピュータから受信したファイルがファクシミリ画情報か否かを調べ、否のときはファイル内容をファクシミリ画情報に変換して一時的に保存し、その画情報を送信して所定の後手順を実行し、回線が復回して一連の送信動作を終了したとき、ユーザ別履歴情報を作成して保存し、その通信履歴情報が一杯になったか否かを調べ、「あふれ」処理を実行したとき管理者に通知処理を行うように構成したもので、ユーザ毎に通信履歴情報の管理が可能で、各ユーザが自己に関する送受信動作結果を明確に知ることができるようにしたものである。
【特許文献１】特許第３０１８７４１号公報
【特許文献２】特開平６−３５０７６３号公報
【発明の開示】
【発明が解決しようとする課題】
【０００７】
しかしながら、上述した特許文献１では、単なる処理結果例えば処理の良否や保留等が表示され、ユーザはそれらの処理結果に応じて次の処理を判断することが可能になってはいるものの、履歴情報として印刷とか送信といった具体的な処理の内容を表示するものではないうえ、ユーザ毎の管理となっていないから、蓄積された履歴情報から何時どのような処理が行われたのかを把握し難く、次の処理判断をし難いのが実情である。
【０００８】
さらに、上述した特許文献２についても、履歴情報として処理内容を表示するものではなく、同様に、履歴情報からどの処理が未処理であったか判別し難く、より良い管理を図る観点から改善が求められている。
【０００９】
そのような課題を解決するために本発明は、入力された画像データについてどのような処理が行われたかの履歴管理が容易な画像処理装置および画像処理プログラムの提供を目的とする。
【課題を解決するための手段】
【００１０】
そのような課題を解決するために本発明に係る画像処理装置は、入力された画像データを画像処理する画像処理部と、その画像処理に関して少なくともデータ名、処理内容およびユーザ名からなる履歴情報テーブルを保存する記憶部と、その履歴情報テーブルを作成してその記憶部に保存制御し、ユーザからの読み出し要求に基づきその履歴情報テーブルを出力制御する制御部とを具備している。
【００１１】
本発明の画像処理装置では、上記制御部が、それら画像データの入力又は画像処理毎にその履歴情報テーブルを更新制御する構成も可能である。
【００１２】
本発明の画像処理装置では、上記制御部が、その履歴情報テーブルに関しそのユーザのユーザ権限に応じて出力内容を変更制御する構成も可能である。
【００１３】
本発明の画像処理装置では、上記処理内容が、その画像処理に関する画像データの取得、保存、印刷又は送受信の別である構成も可能である。
【００１４】
本発明の画像処理装置では、上記制御部が、その履歴情報テーブル中の個々の処理が終了したとき、その履歴情報テーブルから当該処理に係る履歴を削除制御する構成も可能である。
【００１５】
本発明の画像処理プログラムは、入力された画像データを画像処理する制御用コンピュータに、その画像データを入力する入力処理と、入力されたその画像データを画像処理する画像処理と、その画像処理に関する少なくともデータ名、処理内容およびユーザ名からなる履歴情報テーブルを作成する履歴作成処理と、そのユーザからの読み出し要求があったとき前記履歴情報テーブルを出力する履歴出力処理とを実行させるものである。
【００１６】
本発明の画像処理プログラムでは、上記履歴作成処理が、それら画像データの入力又は画像処理毎にその履歴情報テーブルの更新処理を実行させる構成も可能である。
【００１７】
本発明の画像処理プログラムでは、上記履歴出力処理が、その履歴情報テーブルに関しそのユーザのユーザ権限に応じて出力内容を変更出力する構成も可能である。
【００１８】
本発明の画像処理プログラムでは、上記処理内容が、その画像処理に関するその画像データの取得、保存、印刷又は送受信の別である構成も可能である。
【００１９】
本発明の画像処理プログラムでは、上記履歴情報テーブル中の個々の処理が終了したとき、その履歴情報テーブルから当該処理に係る履歴の削除処理を実行する構成も可能である。
【発明の効果】
【００２０】
このような本発明に係る画像処理装置では、入力された画像データを画像処理部が画像処理し、制御部がそれら画像データおよび画像処理に関する履歴情報テーブルを作成してその記憶部に保存制御するとともに、ユーザからの読み出し要求に基づきその履歴情報テーブルを出力制御するから、記憶部内の履歴データに対し、何時、どのような処理を行ったかの履歴判別が容易で、ユーザにおいて次にどの処理を行ったら良いか分かり易く、作業効率を向上させることが可能である。
【００２１】
本発明に係る画像処理プログラムでは、入力された画像データを画像処理する制御用コンピュータに、その画像データを入力処理させ、入力画像データを画像処理させ、その画像処理に関する履歴情報テーブルを作成処理させ、ユーザからの読み出し要求があったときその履歴情報テーブルを出力処理させるから、画像処理装置と同様の効果を得ることが可能である。
【００２２】
本発明において、それら画像データの入力又は画像処理毎にその履歴情報テーブルを更新する構成では、常に最新の履歴情報テーブルを出力可能である。
【００２３】
本発明において、その履歴情報テーブルに関しユーザ権限に応じて出力内容を変更する構成では、不必要に履歴情報テーブルを参照させることがなく、履歴情報テーブルの秘密を確保し易い。
【００２４】
本発明において、上記処理内容が、その画像処理に関する画像データの取得、保存、印刷又は送受信の別である構成では、特に、汎用の画像処理管理に寄与する。
【００２５】
本発明において、その履歴情報テーブル中の個々の処理が終了したとき、その履歴情報テーブルから当該処理に係る履歴を削除する構成では、履歴情報テーブル中に管理の必要な履歴情報のみを残すことが可能で管理がより簡単となるうえ、記憶容量の節約が可能である。
【発明を実施するための最良の形態】
【００２６】
以下、本発明に係る画像処理装置の実施の形態を図面を参照して説明する。なお、本発明に係る画像処理プログラムは画像処理装置を説明する過程で説明する。
【００２７】
図１は本発明に係る画像処理装置の実施の形態を示す概略ブロック図である。
【００２８】
図１において本発明に係る例えば複合機としての画像処理装置Ａは、制御部１を中心にして画像読取部３、送受信部５、記憶部７、画像処理部９、画像表示部１１、印刷部１３、操作指示部１５その他を具備して構成されている。
【００２９】
画像読取部１１は、制御部１の制御の下、例えば印刷された複数頁の原稿から画像を光学的に読み込み、フィルタ処理、変倍処理、γ処理および階調処理等をして電子的画像データを生成する公知のスキャナー等の画像入力部であり、生成した画像データが原稿の頁毎に記憶部７に順次記憶されるようになっている。
【００３０】
画像読取部３は、複数頁の原稿を自動的に給紙読み込む自動給紙機構を有する場合もあるが、公知のものであるから図示および説明を省略する。
【００３１】
送受信部５は、制御部１の制御の下、公知のネットワーク１７を介して画像データや読み出し要求を入力して制御部１に出力するとともに、後述する履歴情報テーブルをネットワーク１７を介して後述するコンピュータＢ、Ｃに送信するもので、ＬＡＬボード等のＮＩＣ（network interface card）である。履歴情報テーブルについては後述する。
【００３２】
記憶部７は、制御部１の制御の下、画像読取部３又は送受信部５からの画像データ又は読み出し要求、履歴情報テーブルその他を読み書き可能に格納する例えばハードディスク（ＨＤＤ）であり、本発明では履歴情報記憶部として機能する点に特徴がある。
【００３３】
画像処理部９は、制御部１の制御の下、記憶部７に記憶された画像データに基づき、例えば１頁毎の印刷用イメージデータを生成する画像処理や、ファクシミリ送信用にデータを画像処理して記憶部７に記憶する機能を有する公知のものであり、履歴情報テーブルの処理内容の一部を実現するものである。
【００３４】
画像表示部１１は、制御部１の制御の下、生成された印刷用イメージデータおよび履歴情報テーブルその他を表示する液晶ディスプレイやＣＲＴディスプレイ等である。
【００３５】
印刷部１３は、制御部１の制御の下、生成された印刷用イメージデータおよび履歴情報テーブルその他を印刷する公知のモノクロ又はカラー印刷エンジンである。
【００３６】
操作指示部１５は、原稿からの画像データ読取り開始指示、この画像データの印刷指示やファクシミリ送信指示その他を入力する機能、更に、履歴情報テーブルの表示指示機能を有し、当該装置本体ケース（図示せず。）に配置された液晶タッチパネルやキーボードからなり、制御部１によって制御される。
【００３７】
制御部１は、画像読取部３、送受信部５、記憶部７、画像表示部１１、印刷部１３、操作指示部１５を制御するもので、制御演算機能を主要部をなすＣＰＵやこのＣＰＵの動作ソフトウエアを格納したＲＯＭを有してなり、履歴情報テーブルの処理内容の一部を実現するもので、以下の制御機能を有している。
【００３８】
すなわち、制御部１は、画像読取部３又は送受信部５から入力された画像データに基づき、例えば図２に示すように、それら画像データの画像処理に関してデータ名（Data01、Data02、Data03、Data04、Data05、Data06）、処理内容（Acquire、StoreFile、PrintOut、SendFAX）、処理時間およびユーザ名(UserA、UserB、AdminiA)を１レコードの履歴情報とし、これら複数のレコードからなる履歴情報テーブルを作成するとともに、この履歴情報テーブルを記憶部７に保存する制御機能を有している。
【００３９】
個々の処理内容「Acquire」はデータ取得を、「StoreFile」はデータ保存を、「PrintOut」は印刷を、「SendFAX」はファクシミリ送信処理を意味する。
【００４０】
制御部１は、新規に画像データが追加入力される都度、履歴情報テーブルに新たなレコードを登録更新して記憶部７に保存制御するとともに、画像データに係り実行された処理内容を更新して記憶部７に保存制御する機能を有する他、履歴情報テーブル中の個々の処理が終了したとき、その履歴情報テーブルから当該処理に係る履歴レコード毎に削除制御する機能も有している。
【００４１】
制御部１は、ユーザから送受信部５又は操作指示部１５を介して画像処理に関する履歴情報テーブルの読み出し要求に基づき、記憶部７に保存されている履歴情報テーブルを出力制御する機能を有している。
【００４２】
この場合、制御部１は、予めパスワードを記録しており、ユーザからの読み出し要求に付加されたパスワードが一致したとき、履歴情報テーブルを出力制御する機能を有している。特に、管理者「AdminiA」としてのユーザ権限、ユーザ名Ａ「UserA」としての権限、ユーザ名Ｂ「UserB」としての権限に対応する個別パスワードに応じ、履歴情報テーブル中のレコードからユーザ権限に応じたレコードからなる履歴情報テーブルを出力制御する機能を有している。
【００４３】
例えば、管理者「AdminiA」は、図２に示す全てのレコードからなる履歴情報テーブルを、ユーザ名Ａ「UserA」は、図３Ａに示すように「UserA」のみのレコードからなる履歴情報テーブルを、ユーザ名Ｂ「UserB」は同図Ｂに示すように「UserB」のみのレコードからなる履歴情報テーブルが出力される。
【００４４】
なお、制御部１は、ユーザ権限に応じたパスワードの入力がない場合、例えば「エラー表示」画像を画像表示部１１に出力したり、送受信部５から送信する機能を有している。
【００４５】
そして、本発明に係る画像処理装置Ａは、図４に示すように、コンピュータＢ、Ｃとネットワーク１７を介して接続されており、コンピュータＢ、Ｃからの画像データを印刷したりファクシミリ送信する画像処理機能を有するとともに、コンピュータＢ、Ｃからの履歴情報テーブル読み出し要求に基づき、記憶部７に保存されている履歴情報テーブルをネットワーク１７を介してそれらに出力する機能を有している。
【００４６】
なお、画像処理装置Ａ自体も、画像データの入力、履歴情報テーブルの読み出し要求、この要求に基づく履歴情報テーブルの表示出力機能等を有している。
【００４７】
次に、本発明に係る画像処理装置の動作を図５および図６を参照して簡単に説明する。
【００４８】
図５のようにプログラムが開始されると、ステップＳ１にて画像読取部３又は送受信部５から画像データが入力処理されるとともに記憶部７への保存処理が実行され、ステップＳ２にて制御部１や画像処理部９の画像処理が実行され、ステップＳ３にて履歴情報テーブルの有無が判別される。
【００４９】
初回の画像処理であって履歴情報テーブルが作成されていない場合、ステップＳ３がＮＯとなってステップＳ４に移り、履歴情報テーブルが作成されて記憶部７への保存処理が実行される。
【００５０】
既に履歴情報テーブルが作成されていてステップＳ３がＹＥＳであれば、ステップＳ５に移って履歴情報テーブルの更新処理と記憶部７への保存処理が実行される。
【００５１】
そして、ユーザが履歴情報を閲覧する場合は、図６に示すように、ステップＳ１０の履歴読み出し要求の入力処理を受け、ステップＳ１１にてユーザ権限の内容が判別される。
【００５２】
ユーザ権限が管理者であれば、ステップＳ１２において履歴情報テーブル全体の出力処理が実行され、個別のユーザ権限であれば、ステップＳ１３において該当するユーザの履歴情報テーブルのみの出力処理が実行される。
【００５３】
ユーザ権限のない履歴情報閲覧の要求であれば、ステップＳ１４にて「エラー表示」の出力処理が実行されて終了する。
【００５４】
要求のあった履歴情報テーブルや「エラー表示」は、要求のあったユーザに向けて画像処理装置Ａの画像表示部１１に出力されたり、コンピュータＢ、Ｃに向けて送信される。
【００５５】
そして、それらの動作処理手順が本発明に係る画像処理プログラムとなる訳である。
【００５６】
このように本発明に係る画像処理装置では、入力された画像データを画像処理する画像処理部９と、その画像処理に関するデータ名、画像データの取得、保存、印刷又は送受信の別等の処理内容およびユーザ名からなる履歴情報テーブルを保存する記憶部７と、その履歴情報テーブルを作成してその記憶部７に保存制御し、それら画像データおよび画像処理毎にその履歴情報テーブルを更新制御し、ユーザからの読み出し要求に基づきその履歴情報テーブルを出力制御する制御部１とを具備している。
【００５７】
そのため、入力された画像データが何時、どのような処理が行われたかの履歴把握が容易となり、ユーザにおいて次にどの処理を行ったら良いか分かり易く、作業効率を向上させることができるし、常に履歴情報テーブルが更新制御されて最新の履歴情報テーブルの参照が可能である。
【００５８】
また、その履歴情報テーブルに関しそのユーザのユーザ権限に応じて出力内容を変更制御されるから、不必要に履歴情報テーブルを参照させることがなく、処理の秘密を確保し易い。
【００５９】
さらに、その履歴情報テーブル中の個々の処理が終了したとき、その履歴情報テーブルから当該処理に係る履歴を削除制御されるから、履歴情報テーブル中に管理の必要な履歴情報のみを残すことが可能で、管理がより簡単となるし、記憶容量の節約も可能である。
【００６０】
なお、本発明において、履歴情報テーブルは、画像処理に関して少なくともデータ名、処理内容およびユーザ名からなる履歴レコードで形成すれば本発明の目的達成が可能であり、これら以外にも追加可能である。
【００６１】
また、本発明における履歴情報テーブル中の処理内容としては、画像処理に関する画像データの取得、保存、印刷又は送受信の別が等があり、これら以外の処理内容も可能である。
【００６２】
そして、本発明に係る画像処理プログラムでは、上記制御処理が、それら画像データの入力又は画像処理毎にその履歴情報テーブルの更新処理を実行する構成、その履歴情報テーブルに関しそのユーザのユーザ権限に応じて出力内容を変更して出力する構成にすれば、画像処理装置と同様な効果を得ることが可能である。
【００６３】
さらに、本発明の画像処理プログラムでは、上記処理内容が、その画像処理に関するその画像データの取得、保存、印刷又は送受信の別である構成であったり、その履歴情報テーブル中の個々の処理が終了したとき、その履歴情報テーブルから当該処理に係る履歴を削除制御を実行する構成でも、画像処理装置と同様な効果を得ることが可能である。
【図面の簡単な説明】
【００６４】
【図１】本発明に係る画像処理装置の実施の一形態を示す概略ブロック図である。
【図２】本発明に係る画像処理装置で作成する履歴情報テーブルを示す図である。
【図３】本発明に係る画像処理装置で出力される表示例を示す図である。
【図４】本発明の画像処理装置その他の装置の接続構成を示す図である。
【図５】本発明に係る画像処理装置の動作を説明するフローチャートである。
【図６】本発明に係る画像処理装置の動作を説明するフローチャートである。
【符号の説明】
【００６５】
１  制御部
３  画像読取部（画像入力部）
５  送受信部（画像入力部）
７  記憶部（履歴情報記憶部）
９  画像処理部
１１  画像表示部
１３  印刷部
１５  操作指示部
１７  ネットワーク
Ａ  画像処理装置（複合機）
Ｂ、Ｃ  コンピュータ
【図１】
2008160772.tif 000003
【図２】
2008160772.tif 000004
【図３】
2008160772.tif 000005
【図４】
2008160772.tif 000006
【図５】
2008160772.tif 000007
【図６】
2008160772.tif 000008